(57)【要約】【課題】トイレ用の洗浄消臭剤等の薬剤を収容する薬剤容器を商品流通時の包装箱として使用することができる水洗タンクの薬剤容器を提供する。【解決手段】この水洗タンクの薬剤容器は、トイレ洗浄水に供給される消臭剤や洗浄剤等の薬剤を収容するために使用され、防水シートにより形成される箱体１０を有している。箱体１０は正面壁１１と背面壁１２と複数の側壁１３ａ〜１３ｄとを有し、これらの部分を折り曲げ境界線を介して折り曲げることにより組み立てられ、組み立てることにより内部には薬剤を収容する収容室が形成される。収容室は貫通孔２７により外部に連通されている。箱体１０は薬剤の包装箱として使用されるとともにそのまま水洗トイレに箱体１０を設置して使用される。【選択図】図１
2007113187.tif 000002
【特許請求の範囲】
【請求項１】
トイレ洗浄水に供給される消臭剤や洗浄剤等の薬剤を収容する水洗タンクの薬剤容器であって、
正面壁と当該正面壁に対向する背面壁と前記正面壁および前記背面壁の外周間の複数の側壁とを有するとともに表裏両面が防水性の防水シートにより形成され、折り曲げ境界線を介して折り曲げることにより内部に前記薬剤を収容する収容室が形成される箱体を有し、
前記箱体に前記収容室を外部に連通させる貫通孔を形成すること特徴とする水洗タンクの薬剤容器。
【請求項２】
請求項１記載の水洗タンクの薬剤容器において、前記箱体に水洗タンクに引っ掛けられるフックを取り付ける取付孔を形成することを特徴とする水洗タンクの薬剤容器。
【請求項３】
請求項１または２記載の水洗タンクの薬剤容器において、前記箱体の表面を商品名等の情報が印刷される化粧面とすることを特徴とする水洗タンクの薬剤容器。
【請求項４】
請求項１〜３のいずれか１項に記載の水洗タンクの薬剤容器において、前記正面壁と前記背面壁と前記側壁とをそれぞれ四辺形とするとともに４つの前記側壁により六面体の前記箱体を形成することを特徴とする水洗タンクの薬剤容器。
【請求項５】
請求項４記載の水洗タンクの薬剤容器において、前記箱体に当該箱体の内部に折り込まれる折り込み片を連なって設けることを特徴する水洗タンクの薬剤容器。
【請求項６】
請求項５記載の水洗タンクの薬剤容器において、前記背面壁を第１背面壁片と第２背面壁片とにより形成し、一方の背面壁片に係合舌部を設け、他方の背面壁片に前記係合舌部が入り込むスリットを形成することを特徴とする水洗タンクの薬剤容器。
【発明の詳細な説明】
【技術分野】
【０００１】
本発明は水洗タンク内の洗浄水に混入される芳香剤や洗浄剤等の薬剤を収容するための水洗タンクの薬剤容器に関する。
【背景技術】
【０００２】
水洗トイレのタンク内に貯留される洗浄水に芳香剤、消臭剤および洗浄剤等の薬剤を適量ずつ自動的に混入させるために、薬剤が装填された薬剤容器を水洗タンクに装着するようにしている。薬剤容器の水洗タンクへの装着方法としては、特許文献１に記載されるように手洗い付きタンクの上に配置されるオンタンク式と、水洗タンク内に水没した状態で水洗タンク内に配置されるインタンク式とがある。
【特許文献１】特開平９−２０３０９９号公報
【発明の開示】
【発明が解決しようとする課題】
【０００３】
芳香剤等を収容する薬剤容器は、従来、陶磁器、金属、ガラスまたは硬質の合成樹脂を材料として製造されており、例えば硬質の合成樹脂を材料とする場合には、成形金型を使用して樹脂成形により薬剤容器は製造される。消臭剤等の薬剤は、成形された薬剤容器の中に装填されるとともに、薬剤が装填された薬剤容器を包装箱の中に組み込んだ状態で流通され、包装箱は通常透明のフィルムで更に包装される。したがって、使用者がトイレタンクに薬剤容器を設置する際には、透明のフィルムを包装箱から取り除くとともに包装箱の中から薬剤容器を取り出すことになり、透明のフィルムと包装箱は廃棄される。
【０００４】
薬剤容器を樹脂等により成形する場合には、成形時には薬剤容器の表面には印刷を施すことができないので、包装箱に商品名や使用方法の説明を印刷するようにしているが、使用時には包装箱は廃棄されることになり、薬剤容器を見ても商品名等の情報を確認することはできない。また、製造者から販売店までの流通過程では、薬剤容器は包装箱の中に組み込まれた状態で取引されるので、使用時には廃棄される包装箱を含めてトラック等で運搬されることになる。
【０００５】
薬剤容器を包装箱の中に組み込むことなく、薬剤容器自体を包装箱として使用することができれば、薬剤の使用時に薬剤容器が取り出された後の包装箱を廃棄する必要がなくなる一方、トイレ用の芳香剤等の製造時には薬剤容器を包装箱に組み込む工程が不要となる。
【０００６】
本発明の目的は、トイレ用の洗浄消臭剤等の薬剤を収容する薬剤容器を商品流通時の包装箱として使用することができる水洗タンクの薬剤容器を提供することにある。
【課題を解決するための手段】
【０００７】
本発明の水洗タンクの薬剤容器は、トイレ洗浄水に供給される消臭剤や洗浄剤等の薬剤を収容する水洗タンクの薬剤容器であって、正面壁と当該正面壁に対向する背面壁と前記正面壁および前記背面壁の外周間の複数の側壁とを有するとともに表裏両面が防水性の防水シートにより形成され、折り曲げ境界線を介して折り曲げることにより内部に前記薬剤を収容する収容室が形成される箱体を有し、前記箱体に前記収容室を外部に連通させる貫通孔を形成すること特徴とする。
【０００８】
本発明の水洗タンクの薬剤容器は、前記箱体に水洗タンクに引っ掛けられるフックを取り付ける取付孔を形成することを特徴とする。
【０００９】
本発明の水洗タンクの薬剤容器は、前記箱体の表面を商品名等の情報が印刷される化粧面とすることを特徴とする。
【００１０】
本発明の水洗タンクの薬剤容器は、前記正面壁と前記背面壁と前記側壁とをそれぞれ四辺形とするとともに４つの前記側壁により六面体の前記箱体を形成することを特徴とする。
【００１１】
本発明の水洗タンクの薬剤容器は、前記箱体に当該箱体の内部に折り込まれる折り込み片を連なって設けることを特徴する。
【００１２】
本発明の水洗タンクの薬剤容器は、前記背面壁を第１背面壁片と第２背面壁片とにより形成し、一方の背面壁片に係合舌部を設け、他方の背面壁片に前記係合舌部が入り込むスリットを形成することを特徴とする。
【発明の効果】
【００１３】
本発明によれば、防水シートにより形成される箱体に箱体内の収容室を外部に連通させる貫通孔を形成し、薬剤を収容して水洗タンクに箱体を配置して使用するようにしたので、箱体を容器として使用して水洗タンクに使用することができる。また、箱体を防水シートにより形成したので、防水シートの表面に印刷を施すことにより、内部の薬剤の種類や商品名等の情報を箱体の表面つまり外面に表示して、箱体の表面を化粧面とすることができ、薬剤を収容して水洗トイレにも使用できる箱体を、薬剤の包装容器ないし包装ボックスとして使用することができる。
【００１４】
薬剤を収容して流通状態のもとで製品内部を表示する箱体をそのまま水洗トイレにおいて使用することができるので、使用時には箱体を廃棄することが不要となり、資源の無駄遣いをなくし、省資源に資することができる。
【００１５】
箱体をシート状の素材により形成するようにしたので、シート素材を抜き型により打ち抜いて箱体を展開した状態のシートを簡単に製造することができ、低コストで薬剤容器を製造することができる。展開された状態のシート材料を折り曲げることにより箱体を組み立てるようにしたので、複雑な金型を用いずに箱体としてのシートを製造することができる。
【発明を実施するための最良の形態】
【００１６】
以下、本発明の実施の形態を図面に基づいて詳細に説明する。図１は本発明の一実施の形態である水洗タンクの薬剤容器を示す正面側斜視図であり、図２は図１の背面側斜視図であり、図３は図２における３−３線に沿う断面図であり、図４は図１に示す箱体の展開図である。
【００１７】
この水洗タンクの薬剤容器は、図１および図２に示すように、六面体形状の箱体１０により構成される。箱体１０は、四辺形の正面壁１１と、これに対向する四辺形の背面壁１２と、正面壁１１の外周と背面壁１２の外周との間に配置され、図１および図２において上下左右の４つの四辺形の側壁１３ａ〜１３ｄとを有し、図４に示すように１枚の防水シート１０ａを折り曲げることにより形成される。
【００１８】
防水シート１０ａは、例えばポリプロピレン（ＰＰ）を主成分としこれに炭酸カルシウムが充填された素材により形成されており、ＰＰを主成分とする基材層とその表裏両面には表皮層が熱圧着により張り合わされた積層構造となっている。このように防水シート１０ａを積層構造とすることにより、防水シート１０ａは手により撓ませることができるような軟質性を持ちつつ薬剤容器として所望の強度を持つとともに、水分が内部に浸入しないように防水性を有している。水分が浸入せず水分により劣化ないし溶解しない材料であれば、上記ＰＰ以外の他の軟質性の樹脂材料により防水シート１０ａを形成するようにしても良い。また、紙や不織布を芯材としその表裏両面に防水性の樹脂層つまり表皮層をコーティングして防水シート１０ａを形成するようにしても良い。
【００１９】
図４には防水シート１０ａの表面が示されており、防水シート１０ａはその中心部に正方形の正面壁１１が配置され、その外周の４つの辺に破線で示す折り曲げ境界線としての山折れ線２１ａ〜２１ｄを介して４つの長方形の側壁１３ａ〜１３ｄが一体に連なっている。側壁１３ａには破線で示す山折れ線２２ａを介して第１背面壁片１２ａが一体に連なり、側壁１３ｂには破線で示す山折れ線２２ｂを介して第２背面壁片１２ｂが一体に連なっており、両方の背面壁片１２ａ，１２ｂにより背面壁１２が構成される。それぞれの側壁１３ｃ，１３ｄには破線で示す山折れ線２２ｃ，２２ｄを介して折り込み片１４，１５が一体に連なっており、それぞれの折り込み片１４，１５は防水シート１０ａを折り曲げて箱体１０を形成した状態のもとでは背面壁１２の内部に折り込まれることになる。
【００２０】
側壁１３ａの両方の短辺にはそれぞれ破線で示す山折れ線２３ａ，２３ｂを介して折り込み片１６，１７が一体に連なっており、同様に側壁１３ｂの両方の短辺にはそれぞれ破線で示す山折れ線２３ｃ，２３ｄを介して折り込み片１８，１９が一体に連なっている。防水シート１０ａを折り曲げて箱体１０を形成した状態のもとでは、それぞれの折り込み片１６，１８は側壁１３ｃの内部に折り込まれ、それぞれの折り込み片１７，１９は側壁１３ｄの内部に折り込まれることになる。それぞれの折り込み片１６〜１９は、実線で示す切込み２４ａ〜２４ｄにより側壁１３ｃ，１３ｄの両方の短辺から分離されている。
【００２１】
図４に示す形状の防水シート１０ａは、切刃が設けられた抜き型により防水シート１０ａよりも大型の防水シート素材を切断することにより形成され、その切断加工時に、それぞれ図４において破線で示す山折れ線に対応する部分にはミシン目が切り込まれ、ミシン目によりそれぞれ折り曲げ境界線が形成される。それぞれのミシン目の部分は防水シート１０ａの裏面では谷折れ線となる。ただし、ミシン目によりそれぞれの折り曲げ境界線を形成することなく、線状の圧痕をプレス加工することにより、それぞれの折り曲げ境界線を形成するようにしても良い。
【００２２】
第１背面壁片１２ａには係合舌部２５が一体に設けられ、この係合舌部２５が入り込むスリット２６が第２背面壁片１２ｂに形成されており、係合舌部２５をスリット２６から第２背面壁片１２ｂの内側に挿入することにより、２つの背面壁片１２ａ，１２ｂが組み合わされて背面壁１２となる。
【００２３】
正面壁１１には長円形の複数の貫通孔２７が形成され、背面壁１２を構成する第２背面壁片１２ｂには長円形と楕円形の複数の貫通孔２８が形成され、折り込み片１４，１５には第２背面壁片１２ｂに形成された長円形の貫通孔２８に対応させて貫通孔２８ａが形成されている。防水シート１０ａを折り曲げて箱体１０を組み立てると、図３に示すように、箱体１０の内部には薬剤３０を収容するための収容室３１が形成される。それぞれの貫通孔２７，２８，２８ａを介して箱体１０の内部の収容室３１は外部に連通される。
【００２４】
薬剤３０としては、芳香剤、消臭剤、洗浄剤、微生物洗浄消臭剤および洗浄消臭剤等が使用される。
【００２５】
図４に示すように、側壁１３ａには取付孔３３が形成され、側壁１３ｃには取付孔３４が形成され、折り込み片１６には防水シート１０ａを折り曲げて箱体１０を組み立てると取付孔３４に一致する取付孔３４ａが形成されている。箱体１０には図１に示すように取付孔３３，３４を貫通させて、吊り下げ用のフック３５の紐部３６が取り付けられるようになっている。薬剤３０が充填された箱体１０により構成される薬剤容器を水洗タンク内に吊り下げる場合、つまり薬剤容器をインタンク式として使用する場合には、フック３５を水洗タンクに引っ掛けて薬剤容器が水洗タンク内に装着される。一方、薬剤容器を手洗い付きタンクの上に配置する場合、つまり薬液容器をオンタンク式として使用する場合には、フック３５を蛇口に引っ掛けるようにしても良く、不使用としても良い。
【００２６】
図４に示す防水シート１０ａは、これよりも大型の防水シート素材を抜き型によって、図示する形状に切り出されるとともに切込み２４ａ〜２４ｄとスリット２６と貫通孔２７，２８等が防水シート１０ａに形成される。防水シート１０ａの表面は化粧面となっており、化粧面には商品名、薬剤３０の種類等が印刷されるとともに着色が施される。図示する場合には、ＰＰ製の基材層の表面に印刷が施され、その表面に裏面とともに表皮層が熱圧着により積層されているので、印刷面のインクが水分により溶解されることなく、しかも表裏両面に汚れが付着することが防止される。さらに、防水シート１０ａは基材層とその両面に積層される表皮層とから構成されているので、見栄えが良好となる。
【００２７】
図４に示す展開図の形状に形成された防水シート１０ａを組み立てて箱体１０を形成するには、まず、図５に示すように、防水シート１０ａの裏面を内側とし、印刷が施された表面つまり化粧面側を表側として、それぞれの側壁１３ａ，１３ｂを正面壁１１に対してほぼ直角に折り曲げるとともに、それぞれの背面壁片１２ａ，１２ｂを側壁１３ａ，１３ｂに対してほぼ直角に折り曲げ、さらに、係合舌部２５をスリット２６から箱体１０の内部に挿入する。
【００２８】
このようにして、図５に示すように、図において左右両側が開放された状態の箱体１０となり、例えば、折り込み片１７，１９を側壁１３ａ，１３ｂに対してほぼ直角に折り曲げるとともに、側壁１３ｄを正面壁１１に対してほぼ直角に折り曲げて折り込み片１５を箱体１０の内部に折り込ませる。これにより、折り込み片１７，１９は箱体１０の内部に組み込まれる。この状態のもとで、箱体１０の内部に薬剤３０を装填した後に、折り込み片１６，１８を正面壁１１に対してほぼ直角に折り曲げるとともに、側壁１３ｃを正面壁１１に対してほぼ直角に折り曲げて折り込み片１４を箱体の内部に折り込ませる。これにより、折り込み片１６，１８は箱体１０の内部に組み込まれる。次いで、フック３５の紐部３６を取付孔３３，３４に通してフック３５を箱体１０に装着する。このようにして防水シート１０ａからなる箱体１０を有する薬剤容器が組み立てられ、箱体１０は図示しない透明のフィルムで包装されて流通される。
【００２９】
薬剤容器を使用する際には、透明の包装フィルムを箱体１０から取り除き、箱体１０の内部から薬剤３０を取り出すことなく、そのままの状態で箱体１０を水洗トイレに設置する。例えば、薬剤容器をインタンク式として使用する場合には、箱体１０は水洗タンク内の洗浄水の中に水没される。水没状態のもとで洗浄水は貫通孔２７，２８を介して収容室３１内に入り込むので、水洗タンク内の洗浄水には薬剤成分が溶解して適量ずつ自動的に混入される。また、オンタンク式として使用される場合には、手洗いの上に配置され、蛇口から吐出する水が貫通孔２７，２８を介して収容室３１内に入り込んで薬剤成分が溶解する。いずれの使用状態のもとでも、箱体１０の表裏両面は防水性となっているので、箱体１０は水分を含むことなく、長期間にわたり繰り返して使用することができる。しかも、表裏両面には表皮層がコーティングされているので、使用時に箱体１０に汚れが付着することなく、長期間にわたり綺麗な薬剤容器として使用することができる。
【００３０】
箱体１０内の薬剤３０が全て洗浄水に溶解混入した後には、側壁１３ｃを開いて収容室３１を開放状態とし、内部に新たな薬剤３０を装填する。このときには、折り込み片１４に指を押し付けて側壁１３ｃを開くことになるので、指を折り込み片１４に押し付け易くするために、第１背面壁片１２ａには図２および図４に示すように切り欠き部３７が形成されている。
【００３１】
このようにして箱体１０は薬剤３０を収容する収納容器としての機能を有するとともに流通段階における包装容器としての機能を有し、包装容器としての箱体１０を廃棄することなく、そのまま収納容器として繰り返して使用することができるので、省資源に資するとともに廃棄物の発生を抑制することができる。従来の薬剤容器のように、薬剤容器を包装箱の中に組み込んで流通させるようにすると、薬液容器の使用時には包装箱の中から薬液容器を取り出して包装箱は廃棄されており、包装箱は廃棄物となるが、本発明の薬液容器は薬液使用時にこれを収容する収容容器としての機能とともに流通時の運搬用および保護用の包装容器としての機能を有し、廃棄物の発生を低減させることができる。
【００３２】
防水シート１０ａを折り曲げて組み立てられる箱体１０を薬剤容器としているので、シート表面には商品名や薬剤３０の成分名等を着色を施して印刷することができる。また、表面が印刷されて化粧面となった状態の箱体１０が使用されることから、使用時にも印刷情報によりいつでも内部の薬剤特性や商品名等を確認することができるとともに、化粧面となった箱体１０によりトイレ内を綺麗に飾ることができる。しかも、箱体１０は防水シート１０ａにより形成されているので、切刃が設けられた抜き型によりシート素材を打ち抜くことにより防水シート１０ａを製造することができ、従来のように雄型と雌型とを有する金型を用いて樹脂成形により薬液容器を製造する場合に比して、その製造コストを大幅に低減することができる。
【００３３】
図６は図５に示す状態に箱体１０を組み立てる際の組み立て手順を示す工程図である。図６に示すように、係合舌部２５の基端部両側には切込み４１が形成され、係合舌部２５のうち切込み近傍の部分は係合ヒレ４２となっている。切込み４１は係合舌部２５のくびれ部に形成された小孔４３にまで達し、２つの小孔４３間の根元幅寸法はＤ１となっており、係合ヒレ４２の幅寸法Ｄ２は根元幅寸法Ｄ１の約３分の１に設定されている。したがって、係合舌部２５の幅寸法Ｄ３は係合ヒレ４２の幅寸法Ｄ２の約５倍となっている。一方、スリット２６はその両端部に形成された小孔４４を含めた幅寸法Ｄ４がＤ１よりもやや大きく、Ｄ３よりも小さく設定されており、係合舌部２５を第２背面壁片１２ｂに重ねると、係合舌部２５の２つの小孔４３が第２背面壁片１２ｂの２つの小孔４４に少しずれた状態で重なるようになっている。
【００３４】
したがって、図６（Ａ）に示すように、２つの背面壁片１２ａ，１２ｂを真っ直ぐにした状態で係合舌部２５をスリット２６に挿入することは、係合舌部２５の幅寸法Ｄ３がスリット２６の幅寸法Ｄ１よりもかなり大きいためできず、しかも防水シート１０ａには所定の保形強度を持たせてあるので、係合舌部２５を折り曲げてスリット２６に挿入することはできない。
【００３５】
そこで、一方の小孔４３からその反対側の係合ヒレ４２の端面までの最大寸法Ｒを寸法Ｄ１とほぼ同一とし、係合ヒレ４２よりも先端側の係合舌部２５の端面までの寸法を最大寸法Ｒよりも短く設定してある。これにより、図６（Ｂ）に示すように、係合舌部２５をスリット２６に対して傾斜させて挿入することにより、係合舌部２５をスリット２６内に挿入させることができるようになっている。したがって、図２および図５に示すように、係合舌部２５をスリット２６内に挿入した状態のもとでは、単に係合舌部２５をその幅方向にずらしただけでは、係合舌部２５をスリット２６から取り外すことができないので、薬剤運搬時および使用時に係合舌部２５が不用意にスリット２６から外れることが防止され、薬剤容器として水洗タンク内の洗浄水に水没した状態のもとで不用意に箱体１０が開いてしまうことが防止される。
【００３６】
本発明は前記実施の形態に限定されるものではなく、その要旨を逸脱しない範囲で種々変更可能である。たとえば、図示する箱体１０は正面壁１１および背面壁１２が正方形となっているが、長方形としても良く、さらには六角形や八角形などの多角形としても良く、円形としても良い。また、箱体１０にはフックが取り付けられるようになっているが、いずれかの側壁に取手を設けるようにしても良い。さらに、貫通孔２７，２８を側壁に設けるようにしても良い。
【図面の簡単な説明】
【００３７】
【図１】本発明の一実施の形態である水洗タンクの薬剤容器を示す正面側斜視図である。
【図２】図１の背面側斜視図である。
【図３】図２における３−３線に沿う断面図である。
【図４】図１に示す箱体の展開図である。
【図５】係合舌部をスリットに挿入した状態の箱体を示す斜視図である。
【図６】（Ａ），（Ｂ）は箱体を組み立てる際の組み立て手順を示す工程図である
【符号の説明】
【００３８】
１０      箱体
１０ａ    防水シート
１１      正面壁
１２      背面壁
１２ａ    第１背面壁片
１２ｂ    第２背面壁片
１３ａ〜１３ｄ    側壁
１４〜１９    折り込み片
２１ａ〜２１ｄ    山折れ線（折り曲げ境界線）
２２ａ〜２２ｄ    山折れ線（折り曲げ境界線）
２３ａ〜２３ｄ    山折れ線（折り曲げ境界線）
２４ａ〜２４ｄ    切込み
２５      係合舌部
２６      スリット
２７，２８    貫通孔
３０      薬剤
３１      収容室
３３，３４    取付孔
３５      フック
【図１】
2007113187.tif 000003
【図２】
2007113187.tif 000004
【図３】
2007113187.tif 000005
【図４】
2007113187.tif 000006
【図５】
2007113187.tif 000007
【図６】
2007113187.tif 000008